(57)【要約】【課題】投稿者側のディスプレイの色再現特性を考慮してオペレータが画像データを修正する作業を補助するための、テストプリント出力装置及び方法を提供することを目的とする。【解決手段】画像表示装置の色味特性の情報を取得する手段（Ｓ１３０１）と、画像出力装置の色味特性情報を取得する手段（Ｓ１３０２）と、テストプリントを行う対象の画像を取得する手段（Ｓ１３０３）と前記２つの特性情報を基に、前記画像出力装置で出力したときの色味が前記画像表示装置上での色味に近い色味となるシミュレート画像を生成するシミュレート手段（Ｓ１３０４）と、パラメータを受け付けて画像の色味を修正する手段（Ｓ１３０５）と、複数の画像を１ページ分にレイアウトした画像出力用データを生成する手段（Ｓ１３０６）と、レイアウトした画像出力データを紙面上に出力する画像形成装置（１１４）と、を有することを特徴とするテストプリント出力装置。【選択図】  図１
2013187801.tif 000002
【特許請求の範囲】
【請求項１】
テストプリント出力装置であって、
画像表示装置の色味特性の情報を取得する画像表示装置特性取得手段（Ｓ１３０１）と、
画像出力装置の色味特性情報を取得する画像出力装置特性取得手段（Ｓ１３０２）と、
テストプリントを行う対象の画像を取得する画像取得手段（Ｓ１３０３）と、
前記２つの特性情報を基に、前記画像出力装置で出力したときの色味が前記画像表示装置上での色味に近い色味となるシミュレート画像を生成するシミュレート画像生成手段（Ｓ１３０４）と、
パラメータを受け付けて画像の色味を修正する色調整手段（Ｓ１３０５）と、
複数の画像を１ページ分にレイアウトした画像出力用データを生成するレイアウト手段（Ｓ１３０６）と、
レイアウトした画像出力データを紙面上に出力する画像形成装置（１１４）と、
を有することを特徴とする、テストプリント出力装置。
【請求項２】
前記色調整手段は、画像取得手段で受け取った前記テストプリント対象の画像に対して色調整を行って色調整済みの複数の画像を生成し（Ｓ１３０５）、前記レイアウト手段は、前記テストプリント対象の画像と、前記シミュレート画像と、前記色調整済みの複数の画像を１ページにレイアウトした画像出力用データを生成すること（Ｓ１３０６）を特徴とする請求項１に記載のテストプリント出力装置。
【請求項３】
前記色調整手段は、前記シミュレート画像に対して色調整を行って色調整済みの複数の画像を生成し（Ｓ１７０５））、前記レイアウト手段は、前記テストプリント対象の画像と、前記シミュレート画像と、前記色調整済みの複数の画像を１ページにレイアウトした画像出力用データを生成すること（Ｓ１７０６）を特徴とする請求項１に記載のテストプリント出力装置。
【請求項４】
さらに前記テストプリント対象画像に対して前記色調整手段による色調整を行った場合に最も前記シミュレート画像に色味が近くなるような、色調整のパラメータを算出する、色調整パラメータ算出手段（Ｓ１９０５）を有し、前記色調整手段は、画像取得手段で受け取った前記テストプリント対象の画像に対して前記色調整パラメータ算出手段が算出したパラメータを含む様々な設定値で色調整を行って色調整済みの複数の画像を生成し（Ｓ１９０６）、前記レイアウト手段は、前記テストプリント対象の画像と、前記シミュレート画像と、前記色調整済みの複数の画像を１ページにレイアウトした画像出力用データを生成すること（Ｓ１９０７）を特徴とする請求項１に記載のテストプリント出力装置。
【請求項５】
前記色調整パラメータ算出手段がパラメータを算出するために、色調整済みの画像の輝度信号値のヒストグラムと、前記シミュレート画像の輝度信号値のヒストグラム、を算出してその類似度を算出すること（Ｓ２００２〜Ｓ２００７）を特徴とする請求項４に記載のテストプリント出力装置。
【請求項６】
テストプリント出力方法であって、
画像表示装置の色味特性の情報を取得するステップ（Ｓ１３０１）と、
画像出力装置の色味特性情報を取得するステップ（Ｓ１３０２）と、
テストプリントを行う対象の画像を取得するステップ（Ｓ１３０３）と、
前記２つの特性情報を基に、前記画像出力装置で出力したときの色味が前記画像表示装置上での色味に近い色味となるシミュレート画像を生成するステップ（Ｓ１３０４）と、
パラメータを受け付けて画像の色味を修正するステップ（Ｓ１３０５）と、
複数の画像を１ページ分にレイアウトした画像出力用データを生成するステップ（Ｓ１３０６）と、
レイアウトした画像出力データを紙面上に出力するステップ（１１４）と、
を有することを特徴とするテストプリント出力方法。
【請求項７】
前記テストプリント対象の画像に対して色調整を行って色調整済みの複数の画像を生成するステップ（Ｓ１３０５）と、前記テストプリント対象の画像と、前記シミュレート画像と、前記色調整済みの複数の画像を１ページにレイアウトした画像出力用データを生成するステップと（Ｓ１３０６）、を有することを特徴とする請求項６に記載のテストプリント出力方法。
【請求項８】
前記シミュレート画像に対して色調整を行って色調整済みの複数の画像を生成ステップ（Ｓ１７０５）と、前記テストプリント対象の画像と、前記シミュレート画像と、前記色調整済みの複数の画像を１ページにレイアウトした画像出力用データを生成するステップ（Ｓ１７０６）と、を有することを特徴とする請求項６に記載のテストプリント出力方法。
【請求項９】
さらに前記テストプリント対象画像に対して前記色調整手段による色調整を行った場合に最も前記シミュレート画像に色味が近くなるような、色調整のパラメータを算出ステップ（Ｓ１９０５）と、前記テストプリント対象の画像に対して前記算出した色調整パラメータを含む様々な設定値で色調整を行って色調整済みの複数の画像を生成ステップと（Ｓ１９０６）、前記テストプリント対象の画像と、前記シミュレート画像と、前記色調整済みの複数の画像を１ページにレイアウトした画像出力用データを生成するステップと（Ｓ１９０７）、を有することを特徴とする請求項６に記載のテストプリント出力方法。
【請求項１０】
色調整済みの画像の輝度信号値のヒストグラムと、前記シミュレート画像の輝度信号値のヒストグラム、を算出してその類似度を算出するステップ（Ｓ２００２〜Ｓ２００７）と、を有することを特徴とする請求項６に記載のテストプリント出力方法。
【請求項１１】
テストプリント出力するプログラムおよびメディアであって、
画像表示装置の色味特性の情報を取得するステップ（Ｓ１３０１）と、
画像出力装置の色味特性情報を取得するステップ（Ｓ１３０２）と、
テストプリントを行う対象の画像を取得するステップ（Ｓ１３０３）と、
前記２つの特性情報を基に、前記画像出力装置で出力したときの色味が前記画像表示装置上での色味に近い色味となるシミュレート画像を生成するステップ（Ｓ１３０４）と、
パラメータを受け付けて画像の色味を修正するステップ（Ｓ１３０５）と、
複数の画像を１ページ分にレイアウトした画像出力用データを生成するステップ（Ｓ１３０６）と、
レイアウトした画像出力データを紙面上に出力するステップ（１１４）と、
を有することを特徴とするプログラムおよびメディア。
【発明の詳細な説明】
【技術分野】
【０００１】
本発明は、写真印刷やアルバム印刷におけるテストプリント出力装置及び方法に関する。その中でも特に、印刷現場のオペレータが画像データを印刷する際に、投稿者側のディスプレイの色再現特性を考慮して補正する作業を補助するための、テストプリント出力装置及び方法に関する。
【背景技術】
【０００２】
近年、デジタルスチルカメラで撮影した写真をレイアウトしてアルバムを電子データとして編集し、それを印刷現場にインターネットを介して送信してアルバム作成を注文する、といった処理が行われている。その際、投稿者は予めディスプレイ上で写真画像の見た目を確認し、見えが悪い（例えば暗い場合など）写真画像については印刷現場側で補正されることを期待して印刷現場に投稿する。例えば露光アンダーの暗い画像データは適正に明るくして印刷されることを期待する。
【０００３】
一方で、印刷現場のオペレータは、投稿されたアルバム内の画像データをディスプレイで視認し、修正した方が良い画像データ（先ほどの暗い画像データなど）についてはデジタル信号値を修正する。その際に、ディスプレイ上では実際の印刷物の色味がわからないため、テストプリントを行って最適な修正パラメータを決定してから画像データを修正するという工程を行う。特許文献１には、修正パラメータ値を様々に振ったものを１ページ内にレイアウトしてテストプリントする技術が開示されている。テストプリント結果を見て、オペレータは望ましい修正パラメータを判断する。
【先行技術文献】
【特許文献】
【０００４】
【特許文献１】特開２００７−３１６３１６号公報
【発明の概要】
【発明が解決しようとする課題】
【０００５】
しかしながら、修正パラメータを様々に振ってテストプリントを行っても、どのパラメータが望ましいかはオペレータにとって判断が難しく、投稿者の意図に反した修正をしてしまうことが発生していた。特に、投稿者側のディスプレイとオペレータ側のディスプレイの色再現の規格が同じでも実際の輝度特性が異なる場合があり、その場合に投稿者側のディスプレイでは露光アンダーの画像が明るく表示されることがあった。例えば、小売業者の初期設定や投稿者の設定変更で輝度設定が変更される場合がそのケースに該当する。そのような場合に、オペレータの修正後も画像データが投稿者のディスプレイ上の見た目よりも暗く印刷されてしまうことがあった。もしも全ての投稿者側のディスプレイの色再現特性が全てある規格に校正されたものであれば、プリンタの色再現特性とディスプレイ色再現特性との違いを押さえることで間違いを防ぐことが可能である。しかし、実際は投稿者側のディスプレイは校正されておらず色再現特性はまちまちである。
【０００６】
従って、本発明は、投稿者側のディスプレイの色再現特性を考慮してオペレータが画像データを修正する作業を補佐するための、テストプリント出力装置及び方法を提供することを目的としている。
【課題を解決するための手段】
【０００７】
テストプリント出力装置であって、
画像表示装置の色味特性の情報を取得する画像表示装置特性取得手段（Ｓ１３０１）と、
画像出力装置の色味特性情報を取得する画像出力装置特性取得手段（Ｓ１３０２）と、
テストプリントを行う対象の画像を取得する画像取得手段（Ｓ１３０３）と、
前記２つの特性情報を基に、前記画像出力装置で出力したときの色味が前記画像表示装置上での色味に近い色味となるシミュレート画像を生成するシミュレート画像生成手段（Ｓ１３０４）と、
パラメータを受け付けて画像の色味を修正する色調整手段（Ｓ１３０５）と、
複数の画像を１ページ分にレイアウトした画像出力用データを生成するレイアウト手段（Ｓ１３０６）と、
レイアウトした画像出力データを紙面上に出力する画像形成装置（１１４）と、
を有することを特徴とする、テストプリント出力装置。
【発明の効果】
【０００８】
アルバムデータ内の画像データに修正が必要な場合、修正前後の画像データだけでなく、クライアントサイトのディスプレイの見た目をシミュレートした画像データもリファレンスとしてテストプリント出力することができる。これにより、オペレータがクライアントサイトのディスプレイ特性を反映した修正パラメータを決めることが可能となる。
【図面の簡単な説明】
【０００９】
【図１】本発明のテストプリント出力装置のシステム全体構成を示す図
【図２】クライアント装置・オペレータ装置のハードウェア構成のブロック図
【図３】アルバム編集装置の機能構成のブロック図
【図４】アルバム編集装置の処理工程の概要を示すフロー図
【図５】アルバム編集装置のユーザインタフェースの一例
【図６】ディスプレイの特性の確認工程を説明するフロー図
【図７】ディスプレイの特性を確認するユーザインタフェースの一例
【図８】ディスプレイのコントラストがわかる原理の説明図
【図９】アルバム注文データのデータ構造の一例
【図１０】アルバムを受注・作成・発送する工程の概略を示すフローチャート
【図１１】画像データを修正する工程を示すフローチャート
【図１２】画像データを修正する機能の画面を示す図
【図１３】第一の実施形態におけるテストプリントデータの生成処理のフローチャート
【図１４】シミュレーション画像を生成する為の処理を示すフローチャート
【図１５】カラーマッチング処理の流れを示す図
【図１６】第一の実施形態におけるテストプリントのレイアウトの一例を示す図
【図１７】第二の実施形態におけるテストプリントデータの生成処理のフローチャート
【図１８】第二の実施形態におけるテストプリントのレイアウトの一例を示す図
【図１９】テストプリント用のデータを生成する処理を示すフローチャートの一例
【図２０】第三の実施形態におけるテストプリントデータの生成処理のフローチャート
【図２１】第三の実施形態におけるテストプリントのレイアウトの一例を示す図
【発明を実施するための形態】
【００１０】
以下、本発明を実施するための最良の形態について図面を用いて説明する。
【００１１】
＜テストプリント出力装置のシステム全体構成図＞
図１は、本発明の一実施の形態に係るテストプリント出力装置を含むシステム全体構成の一例を示す図である。１００は、インターネットなどのネットワークであり、クライアント装置１０２、オペレータ装置１０６及びフォトサイト１０９が接続され、各種データの送受信が行われる。１０１はアルバム作成の注文を行うクライアントサイト、１１５はアルバム作成の注文を受注しアルバム作成を行うプリントサイト、１０８はフォトデータをデータベースに保管して管理するフォトサイトである。
【００１２】
１０２は画像入力装置であり、光学像を電気信号に変換し、所定の画像処理をした後にデジタルデータの画像として記録、再生する画像入力装置である。例えば、画像入力装置１０２は、デジタルスチルカメラやデジタルビデオカメラ、またはスキャナである。
【００１３】
１０４は、ユーザーが操作するパーソナルコンピュータからなるクライアント装置であり、アルバムを編集してプリントサイト１１５に入稿するためのアプリケーションを含む。
【００１４】
１０５は、クライアント装置１０４に接続されたディスプレイである。クライアント装置１０４はアルバム編集装置１０６とディスプレイ特性取得装置１０７を含む。
【００１５】
１０３は、ローカル通信媒体であって、画像入力装置１０２で取得された写真データをクライアント装置１０４へ転送するための通信媒体である。ローカル通信媒体１０３としては、例えば、ＵＳＢ（Ｕｎｉｖｅｒｓａｌ  Ｓｅｒｉａｌ  Ｂｕｓ）やＩＥＥＥ１３９４に代表される有線通信媒体と、Ｂｌｕｅｔｏｏｔｈ（登録商標）に代表される無線系通信媒体がある。それらのローカル通信媒体１０３を介して画像入力装置１０２からクライアント装置１０４へ転送された写真データは、クライアント装置１０４内のハードディスクドライブ（ＨＤＤ）に記憶される。
【００１６】
１１５は、プリントサイトであって、ネットワーク１００を介してクライアント装置１０４に接続される。ユーザーは、クライアント装置１０４内のアプリケーションを使用することによってクライアント装置１０２上で作成したアルバムデータのプリント注文することが可能である。
【００１７】
１１０は、プリント装置１１４を扱うオペレータが操作するパーソナルコンピュータであるオペレータ装置である。オペレータ装置１１０は、インターネット１００を介してアルバムデータを受信しプリント装置１１４から出力する為のアプリケーションであるアルバム出力装置１１２と、テストプリントをプリント装置１１４から出力するテストプリント出力装置１１３を含む。
【００１８】
１１１はオペレータ装置１１０に接続されたディスプレイである。
【００１９】
１１４は、プリント出力装置であって、オペレータ装置１１０が受信したアルバムデータを実際に印刷し、アルバムを作成するものである。
【００２０】
１０８は、フォトサイトであって、写真データベース（ＤＢ）１０９内に、各種Ｗｅｂページ情報、画像、音声などのマルチメディア情報を保存管理する。
【００２１】
１０９は、フォトサイト１０８上の画像ＤＢであり、アルバム編集装置１０６によってダウンロードされる電子アルバム用のテンプレートデータや写真データが格納されている。
【００２２】
アルバムに使用される画像データは大きくわけて二種類ある。１つ目は、クライアント装置１０４上のＨＤＤなどの記憶媒体に登録された画像データである。ＨＤＤに記憶された写真データの中には、画像入力装置１０２から取得され、ローカル通信媒体を介してクライアント装置１０４に転送されものも含まれる。
【００２３】
もう一つは、フォトサイト１０８の画像ＤＢ１０９に格納されている写真データである。それらの写真データは、一般にクライアント装置１０４よりネットワーク１００を介してフォトサイト１０８へアップロードされたものを含む。アルバム編集時には、それらはネットワーク１００を介してフォトサイト１０８からクライアント装置１０４へ適宜ダウンロードされる。
【００２４】
また、本実施例の前提として、クライアントサイト１０１のディスプレイ１０５と、プリントサイト１１５のディスプレイ１１１は、どちらも同じ色空間規格の信号を扱っていると仮定する。そのため、理想上はディスプレイ１０５はディスプレイ１１１と同じ色の見え方であるはずなので、オペレータはクライアントサイトとの色の違いを意識する必要はないのだが、実際にはディスプレイ１０５は色校正されていないことが多い。よって、そのディスプレイの特性をディスプレイ特性取得装置１０７が測定することとなる。
【００２５】
＜クライアント装置のハードウェア構成＞
図２は、クライアント装置１０４およびオペレータ装置１１０のハードウェア構成を示すブロック図である。
【００２６】
図２において、２０１は表示装置であり、図１のディスプレイ１０５およびディスプレイ１１１を指す。その表示画面には、例えば編集中の文書、図形、画像、その他の編集情報、ウインドウー、アイコン、メッセージ、メニュー、その他のユーザーインターフェース情報が表示される。
【００２７】
２０２はＶＲＡＭであり、表示装置２０１に表示するための画像が描画される。このＶＲＡＭ２０２に生成された画像信号は、所定の規格に従って表示装置２０１に転送されることにより、表示装置２０１に画像が表示される。
【００２８】
２０３は、ＣＤまたはＤＶＤに代表される記憶メディア媒体に対する記録再生動作を行うための外部メディアドライブである。アプリケーションを含む各種制御プログラムやデータを外部の記憶媒体との間で授受する際の制御を担う。
【００２９】
２０４はキーボードであり、文字入力や種々の操作を行うための各種キーを有する。
【００３０】
２０５はポインティングデバイスである。例えば、表示装置２０１の表示画面上に表示されたアイコン、メニュー、その他のオブジェクトを指示し、操作するために使用される。
【００３１】
２０６はＣＰＵであり、ＲＯＭ２０７、記憶装置（ＨＤＤ）２０９及び外部メディアドライブ２０３に格納されたアプリケーションを含む制御プログラムに基づいて、ＣＰＵ２０６に接続された各デバイスを制御する。
【００３２】
２０７はＲＯＭであり、各種の制御プログラムやデータを保持する。
【００３３】
２０８はＲＡＭであり、ＣＰＵ２０６のワーク領域、エラー処理時のデータの退避領域、制御プログラムのロード領域等を有する。
【００３４】
２０９はＨＤＤなどの記憶装置であり、オペレーティングシステム（ＯＳ）やアプリケーションを含む各種制御プログラムおよび各種データを格納する。
【００３５】
２１０はローカル通信インターフェースであり、ローカル通信媒体１０７を介して画像入力装置１０２などの外部の機器からのデータを授受する際の制御を担う。
【００３６】
２１１はネットワーク通信インターフェースであり、他の情報処理装置やプリンタ等とネットワーク２１３を介して通信を行うためのものである。
【００３７】
２１２はＣＰＵバスであり、アドレスバス、データバス及びコントロールバスを含む。なお、ＣＰＵ２０６に対する制御プログラムの提供は、ＲＯＭ２０７、記憶装置２０９、外部メディアドライブ２０３から行うこともできる。さらに、ネットワーク２１３を介して他の情報処理装置等から行うことも可能である。
【００３８】
本実施例のアルバム編集装置１０６はアプリケーションとして実現され、記憶装置２０９にＯＳが実行可能なデータとして格納されている。ユーザーのポインティングデバイス２０５やキーボード２０４の操作をうけてＯＳがアプリケーションの実行可能なデータをＲＡＭ２０７へマップしＣＰＵ２０６を用いて実行する。アルバム編集アプリケーションはＯＳ提供のＡＰＩ関数をコールすることによりＶＲＡＭ２０２へユーザーインターフェースを表示する。そのユーザーインターフェースに対するポインティングデバイス２０５やキーボード２０４のユーザー操作をうけてＯＳがアルバム編集装置１０６へイベントを伝え、アルバム編集装置１０６がイベントの解釈し対応する処理を実行する。
【００３９】
＜アルバム編集アプリケーションのブロック図＞
図３に本実施例におけるアルバム編集装置１０６の機能構成のブロック図を示す。
【００４０】
３０１は全体の機能を管理するアルバムデータ作成工程管理部である。アルバムデータ作成工程管理部３０１は、ＧＵＩ制御部３０３に指示して表示装置２０１上にＵＩを表示し、操作受付部３０２よりユーザからの操作指示（キーボード２０４やポインティングデバイス２０５を介してユーザより指示を受ける）を受け取る。
【００４１】
３０４は、画像データを管理する制御部であり、メディア・フォトサイト通信制御部３０８を介して画像データを取得し、データ格納部３１０に画像データを保存する。また、アルバムデータ作成工程管理部３０１から指示を受けて画像データをデータ格納部３１０より取り出す処理も行う。
【００４２】
３０５はアルバムのレイアウトを管理するレイアウト制御部である。
【００４３】
３０６は、ディスプレイ特性制御部であって、表示装置２０１の特性を確認する為の工程を制御する。３０７は、アルバム注文制御部であって、プリントサイト通信制御部３０９を介してプリントサイト１０８にアルバム注文データを送信する。
【００４４】
＜アルバム編集装置の処理概要＞
図４は、本実施例に係るアルバム編集装置１０６の処理工程の概要を示すフロー図である。また、図５は、本実施例に係るアルバム編集アプリケーションのユーザーインターフェース図である。図４と図５を交えながら、アルバム編集装置１０６の動作概略を示す。
【００４５】
ステップＳ４０１は商品選択工程である。アルバム編集装置１０６は、図５（Ａ）に示す商品の選択肢を表す商品選択画面５００を構成し、ＧＵＩ制御部３０３を用いてそのＵＩを表示装置２１０で表示する。以下特に明記しない限り、ユーザによる画像選択画面５００へのＵＩ操作に関しては全て操作受付部３０２が応答し処理する。
【００４６】
本実施例で商品選択画面５００は、商品の選択肢として５０１、５０２を有している。それぞれの選択肢５０１、５０２の排他的な選択により、アルバムで使用するカバーの素材およびページ数が決定される。商品選択画面５００上での選択後、進むボタン５０３が押下されることにより、アルバム編集装置１０６で作成する商材が決定される。この商品決定をうけてアルバムデータ作成工程管理部３０１はアルバムの商材の設定をアルバム注文制御部３０７に伝える。アルバム注文制御部３０７は作成するアルバムの設定としてアルバムの商材設定をデータ格納部３１０に保存する。保存後、アルバム編集装置１０６が次のステップへ処理を進める。
【００４７】
ステップＳ４０２は写真データ選択工程である。アルバム編集装置１０６はＧＵＩ制御部３０３を用いて、図５（Ｂ）に示す画像データの候補を選択する画像選択画面５１０を表示装置２１０にて表示する。以下特に明記しない限り、ユーザによる画像選択画面５１０へのＵＩ操作に関しては全て操作受付部３０２が応答し処理する。
【００４８】
画像選択画面５１０には、画像の取得先を選択ためにフォルダ選択領域５１１が存在する。更にフォルダ選択領域５１１にはデスクトップ５１２とフォトサイト５１３とメディア５１４のフォルダアイコンが表示される。デスクトップ５１２は、クライアント装置１０４のＨＤＤ２０９のデスクトップフォルダからの画像取得を表すアイコンである。デスクトップ５１２がクリックされると選択状態となる。もし選択中のフォルダに画像データが格納されている場合は、画像データのサムネイル群がフォルダ内画像領域５１５へ表示される。
【００４９】
また下位に位置するフォルダが存在すれば、ツリー構造で下位フォルダのアイコンが表示される。外部メディアドライブ２０３に外部メディアがマウントされていればデスクトップフォルダーの下位には外部メディア上のフォルダーアイコンが表示される。
【００５０】
またローカル通信インタフェース２１０へ画像入力装置１０２が接続されていた場合も、メディアフォルダ５１４が表示される。フォトサイト５１３は、フォトサイト１０８の画像ＤＢ１０９よりネットワーク１００経由での画像データの取得を表すアイコンである。クリック操作に関してはデスクトップ５１２のアイコンと同様なＵＩ挙動をとる。デスクトップフォルダと異なるところは、フォルダー内画像領域５１５へ表示される画像は通信制御部３０８によりネットワークインタフェース２１１経由でフォトサイト１０８より取得され、表示されることである。
【００５１】
フォルダ内画像領域５１５の画像は、ポインティングデバイスのクリック、またはキーボードのショートカットキー操作により、複数個の画像選択を受け付けることが可能ある。フォルダ内画像領域５１５での画像の選択後、５１６の追加ボタンの押下を受けて、選択画面領域５１８へ選択された画像のサムネールがコピーされる。それらのコピーされた画像がアルバムに配置される候補画像となる。
【００５２】
選択画面領域５１８においても、ポインティングデバイスのクリック、またはキーボードのショートカットキー操作により、複数個の画像選択を受け付けることが可能ある。選択画面領域５１８での画像の選択後、５１７の削除ボタンの押下を受けて選択画面領域５１８から選択画像を除外することが可能である。選択画面領域５１８へ候補画像がある場合に進むボタン５１９が有効になる。この進むボタン５１９の押下をうけて、アルバム編集装置１０６は、データ制御部３０４を用いて、選択画面領域５１８の候補の画像データをデータ格納部３１０へ保存する。
【００５３】
ステップＳ４０３はレイアウト編集＆プレビュー工程である。アルバム編集装置１０６はＧＵＩ制御部３０３を用いて、図５（Ｃ）に示すアルバムの編集とそのプレビューを行うＵＩであるレイアウト編集＆プレビュー画面５２０を表示装置２１０に表示する。以下特に明記しない限り、ユーザによるレイアウト編集＆プレビュー画面５２０へのＵＩ操作に関しては全て操作受付部３０２が応答し処理する。
【００５４】
レイアウト編集＆プレビュー画面５２０は大きく３つの領域で構成される。１つ目の領域は操作ボタン領域５２１であり、アルバム作成のために必要な各種操作ボタンが配置されている。２つ目の領域は見開きページ編集領域５２２であり、アルバムの見開きのページのプレビューが表示されている。３つ目の領域は候補画像トレイ５２３であり、Ｓ４０２の画像データ選択工程で選択された画像データのサムネイルが表示されている。キーボード２０４やポインティングデバイス２０５によるそれらプレビューに対する選択操作により選択対象を別の見開きプレビューに変更可能である。選択プレビューが変更になると、見開きページ編集領域５２２での編集対象のプレビューも連動して変更される。図５（Ｃ）では、見開きページ編集領域５２２のプレビュー５２４が表示されている。
【００５５】
ポインティングデバイス２０５で候補画像トレイ５２３の画像データを選択後、画像領域５２４にドラック・アンド・ドロップされた操作を受けて、その領域に選択された画像データが割り当てられる。割り当てられた画像データはレイアウト制御部３０５に伝えられ、表紙用コンテンツデータとして管理される。
【００５６】
操作ボタン領域５２１には、レイアウト変更ボタン５２５と、文字飾りボタン５２６が配置されている。レイアウト変更ボタン５２５の押下をうけると、見開きページ編集領域５２２で表示中の編集対象ページに対し、図５（Ｄ）のテキスト領域や画像領域の配置位置を変更可能なダイアログ５４０が表示される。ダイアログ５４０には、レイアウト制御部３０５が扱うレイアウト構成５４１が表示される。レイアウト構成５４１での選択をうけて、デザイン制御部３０５が、見開きページ編集領域５２２で表示されている編集対象ページ上のテキストや写真の配置位置を変更する。
【００５７】
レイアウト制御部３０５によってレイアウトに関するデータがデータ格納部３１０に保存される。その保存をうけてＧＵＩ制御部３０２が見開きページ編集領域５２２とアルバム全体プレビュー５２４のプレビューを変更する。また、前のページボタン５２７の押下を受けるとＧＵＩ制御部３０２は次の見開きのページを表示し、次のページボタン５２８の押下を受けるとＧＵＩ制御部３０２は前の見開きのページを表示する。
【００５８】
テキスト領域の文字属性変更するボタンや、枠や背景などの飾りを変更可能なボタンが存在するが、細部の説明となるので説明は省略する。進むボタン５２９の押下をうけた場合、アルバム編集装置１０６はＳ４０４へ処理を進める。
【００５９】
ステップＳ４０４は、クライアントがディスプレイの特性をチェックするための処理を扱う工程である。クライアントサイト１０１のディスプレイ１０５のコントラストや輝度ガンマの状態をユーザとの対話型ＵＩを通して取得する。
【００６０】
ステップＳ４０５は、アルバムの注文処理の工程である。アルバム編集装置１０６は、アルバム作成に使用する画像データ、レイアウト情報などの情報をアルバムデータとして整形し、プリントサイト１０５にインターネット１００経由で送信することで注文を実施する。
【００６１】
次に、ステップＳ４０４のディスプレイの特性の確認工程を、図６のフローチャートを用いて説明する。ステップＳ６０１はディスプレイ１０５のコントラストを確認する工程である。ディスプレイのコントラストとは、ディスプレイが表示している輝度の範囲を指す。
【００６２】
本実施形態では、ディスプレイ１０５が色校正された理想的な状態の輝度範囲に対して、色校正されていない状態のディスプレイ１０５がどの程度の輝度範囲をカバーしているかをユーザとの対話型ＵＩを用いてチェックする。
【００６３】
対話型ＵＩの一例を図７（Ａ）に示す。７０１は、ディスプレイ１０５がその時の状態で表示可能な輝度階調を、デジタル信号的に１１段階に分けて表示した画像である。一番上のパッチは白（８ビットのＲＧＢ信号値の場合、２５５を表す）であり、一番下のパッチは黒（８ビットのＲＧＢ信号値の場合、０を表す）である。その間の９つのパッチ（以下では「中間パッチ」と呼ぶ）は白と黒の信号値の間を線形的に補間した値を保持している。ここで、ユーザに、一番上の白のパッチに対して輝度の違いが初めて視認できる中間パッチを７０２より選んでもらう。また、一番下の黒パッチに対して輝度の違いが初めて視認できる中間パッチを７０３より選んでもらう。
【００６４】
このコントラスト確認画面でディスプレイ１０５のコントラストがわかる原理を図８（Ａ）を用いて説明する。図８（Ａ）のグラフは横軸にＲＧＢの入力信号値を表し、色校正されていないディスプレイ１０５の輝度値を輝度値を表している（縦軸のスケールは、ディスプレイ１０５が色校正された場合に表示可能な輝度範囲をスケールである）。
【００６５】
濃い曲線８０２はディスプレイ１０５の輝度状態を表す。輝度値ｙ３（一般に≠２５５）は７０１の白パッチの輝度を示し、輝度値ｙ０（＝０）は７０２の黒パッチの輝度を示す。一般に黒パッチの輝度が０であり白パッチの輝度が２５５ではないのは、黒パッチ輝度はディスプレイの発光状態に依存しない（発光していないため）が、白パッチの輝度はディスプレイの発光状態に依存するためである。ｙ３の輝度値が求まれば、ディスプレイ１０５のコントラストが求められることになる。それには、曲線８０２の端点を通る直線８０１の傾きを求める必要がある。人間の視覚が分解できる輝度差の大きさをディスプレイ１０５の理想上の輝度スケール上でｄとし、ディスプレイの輝度値がｙ１（＝ｄ）となる入力信号をｘ１、輝度値がｙ２（＝ｙ３−ｄ）となる入力信号をｘ２とする。すると、ｘ１が７０３で選択した中間パッチの入力信号値を示し、ｘ２が７０２で選択した中間パッチの入力信号値を示す。これより、曲線８０２の下端の傾きはｙ１／ｘ１で近似でき、上端の傾きはｄ／（２５５−ｘ２）で近似できる。すると、さらに直線８０１の傾きはその２つの傾きの平均で近似すると、直線８０１の式は下記の式１となる。
【００６６】
【数１】
2013187801.tif 000003
次に、ステップＳ６０２に移る。ステップＳ６０２はディスプレイ１０５の輝度ガンマを確認する工程である。ディスプレイの輝度ガンマとは、ディスプレイが表示している輝度の曲線の曲がり具合を指す。８ビット信号値の場合、一般にディスプレイの曲がり具合は式２によって表現される。（ディスプレイの既定のガンマ値が１．４の場合）
【００６７】
【数２】
2013187801.tif 000004
本実施形態では、ディスプレイ１０５が色校正された理想的な状態の輝度曲線（本実施例では直線を理想形とする）に対して、色校正されていない状態のディスプレイ１０５がどの程度曲がっているかをユーザとの対話型ＵＩを用いてチェックする。
【００６８】
対話型ＵＩの一例を図７（Ｂ）に示す。７１１は、入力信号の範囲の中央値（本実施例では、８ビット信号における中央値である１２８）をディスプレイ１０５でそのまま出力した結果を表示している。また、７１２は、入力信号１２７をガンマ１．０からガンマ２．６まで変えた場合に、ディスプレイでそのまま表示せずに千鳥格子状（７１３）に黒ドットと白ドットで表現した画像に変えてから表示したものである。人間の視覚は高周波で切り替わるドットは視認できず、平滑した１つの低周波階調に感じる。また、白パッチや黒パッチの輝度ガンマはディスプレイのコントラストに影響されない。よって、７１２は入力信号１２７を入力した場合の正確な輝度ガンマを表現していることになる。ここで、ユーザに、８１２と８１３の境界が分解できないパッチセットを８１４から選択してもらうことにより、ディスプレイ１０５の輝度ガンマを測定することができる。
【００６９】
この輝度ガンマ確認画面でディスプレイ１０５のコントラストがわかる原理を図８（Ｂ）を用いて説明する。図８（Ｂ）のグラフは横軸にＲＧＢの入力信号値を表し、色校正されていないディスプレイ１０５の輝度値を輝度値を表している（縦軸のスケールは、ディスプレイ１０５が色校正された場合に表示可能な輝度範囲をスケールである）。
【００７０】
濃い曲線８０３はディスプレイ１０５の輝度状態を表す。輝度値ｙ３（一般に≠２５５）は７０１の白パッチの輝度を示し、輝度値ｙ０（＝０）は７０２の黒パッチの輝度を示す。７１１は入力信号ｐ０（＝１２８）をディスプレイで表示した場合の輝度値（ｑ−２）を表示していることになる。ｑ０はディスプレイ１０５の理想的な輝度ガンマとする１．４の中央輝度値を表しているとし、ｑ−１は輝度ガンマ＝１．２、ｑ−２は輝度ガンマ＝１．４、ｑ１は輝度ガンマ１．６、ｑ２は輝度ガンマ１．８を表すとする。すると、ディスプレイ１０５の輝度ガンマの状態は１．０となる。
【００７１】
次に、ステップＳ４０５の注文工程でクライアント装置からプリントサイトに送信するアルバム注文データの構造を図９を用いて説明する。図９は注文工程でプリントサイトに送付するアルバム注文データの構造を示す図である。アルバムデ注文データ９０１の中には注文管理データ９０２とアルバムデータ９０３を含む。さらに、注文管理データ９０２の中には、注文ＩＤ９０４、注文日時９０５を含む。注文ＩＤ９０４、注文日時９０５にはアルバム編集装置１０６がプリントサイト１０５から取得した注文管理のためのＩＤや注文した日時がセットされる。また、アルバムデータ９０３の中には、商品構成データ９０６、画像データ群９０７、レイアウトデータ９０８、画像割り付けテーブル９０９、ディスプレイ特性データ９１０を含む。
【００７２】
商品構成データ９０５には、商品選択画面５００で設定した表紙の種類（ソフトカバーかハードカバーか）とページ数がセットされる。画像データ群９０７には、アルバムに使用されている画像データが格納される。レイアウトデータ９０８にはレイアウト変更画面５４０で指定した各ページのレイアウト情報がセットされる。画像割り付けテーブル９０９にはレイアウトデータにおいて画像データを割り付けた情報がセットされる。ディスプレイ特性データ９１０にはコントラスト確認画面７００より取得したディスプレイ１０５の輝度範囲特性９１１と輝度ガンマ確認画面７１０より取得したディスプレイ１０５の輝度ガンマ特性９１２がセットされる。
【００７３】
＜プリントサイト側の処理の説明＞
プリントサイト１０５においてアルバムを受注・作成・発送する工程を図１０を用いて説明する。図１０は、アルバムを受注・作成・発送する工程の概略を示すフローチャートである。
【００７４】
ステップＳ１００１は注文取得工程である。オペレータ装置１１０はクライアント装置１０４がプリントサイト１０５に送信したアルバム注文データをインターネット１００を介して取得する。
【００７５】
次のステップＳ１００２は、印刷前検品工程である。アルバム注文データに画像データの画質やその他のデータ欠損などの不具合がないかをチェックする。中でも、特に、画像データの画質をチェックして、修正が必要な画像データの有無を入念にチェックする。
【００７６】
次に、ステップＳ１００３にて、修正が必要な画像があった場合は処理9が分岐する。修正が必要な画像データが存在する場合はステップＳ１００４に移る。修正が必要な画像データが存在しない場合はステップＳ１００５に移る。
【００７７】
ステップＳ１００４は画像修正工程である。後述するテストプリントを行い、適正な画質修正を行って画質を改善し、ステップＳ１００５に移る。
【００７８】
ステップＳ１００５はプリント工程である。オペレータ装置１１０がプリント装置１１４にアルバムデータを送信し、プリント装置１１４はアルバム成果物１１５を出力する。
【００７９】
次のステップ１００６は検品工程である。アルバム１１５に落丁・乱丁がないかを検査する。次のステップ１００７は商品発送工程である。商品であるアルバム１１５をクライアントに発送する。
【００８０】
画像修正工程Ｓ１００４の内容の詳細について、図１１を用いて説明する。図１１は、画像データを修正する工程を示すフローチャートである。
【００８１】
ステップＳ１１０１は修正すべき画像データを取得する工程である。アルバム注文データ９０１内の画像データ群９０７から修正すべき画像データを取得する。
【００８２】
次のステップＳ１１０２はテストプリント用の画像データを生成する工程である。テストプリント用の画像を生成する手法については後述する。
【００８３】
次のステップＳ１１０３はプリンタでテストプリントとを行う工程である。
【００８４】
そして、次のステップＳ１１０４でテストプリント結果を基に画像データを修正する。画像データを修正する方法の詳細については後述する。
【００８５】
最後に、ステップＳ１１０５の工程で、アルバム注文データ９０１内の画像データ群９０７の画像データを修正画像データに置き換える。
【００８６】
画像データを修正する方法の詳細について、図１２を用いて説明する。図１２は、画像データを修正する機能の画面を示す図である。
【００８７】
１２００は、画像データの修正のパラメータをユーザから受け取るための画面である。１２０１は、画像データの輝度のコントラストを修正するパラメータをを受け付けるための領域を示している。スライダバー１３０２を右にずらすと画像データの輝度信号のコントラストを向上させ、スライダバー１２０２を左にずらすと画像データの輝度信号のコントラストを低下さえる。また、１２０３は、画像データの輝度の明るさを修正するパラメータを受け付けるための領域を示している。スライダバー１２０４を右にずらすと画像データの輝度信号の明るさを向上させ、スライダバー１２０４を左にずらすと画像データの輝度信号の明るさを低下させる。１２０５はユーザがパラメータを確定したことを受け付けるためのボタンであり、ボタン１２０５が押下されると下記の式３と式４に従って画像データの輝度信号を修正する。
【００８８】
【数３】
2013187801.tif 000005
＜テストプリント用の画像データを生成する工程の説明＞
ステップＳ１１０２のテストプリント用の画像データを生成する工程の詳細を図１３を用いて説明する。図１３は、テストプリント用の画像データを生成する処理の一例を示すフローチャートである。
【００８９】
ステップＳ１３０１は、ディスプレイ特性情報を取得する処理である。アルバム注文データ９０１の中のディスプレイ特性データ９１０の中にある輝度範囲特性９１１と輝度ガンマ特性９１２を取得する。さらに、ディスプレイのＲＧＢ入力信号と人間の視覚に近い表現であるＬ＊ａ＊ｂ＊信号の双方向の変換をするための情報が入っているＩＣＣプロファイルをオペレータ装置１１０の中のＨＤＤより取得する。ＩＣＣプロファイルとは、カラーマネジメントにおいて、インターナショナル・カラー・コンソーシアム (ＩＣＣ) の公表した標準に従い、色に関わる入出力機器や色空間を特徴付ける一連のデータのことである。ディスプレイ特性情報は、この輝度範囲特性９１１と輝度ガンマ特性９１２とディスプレイのＩＣＣプロファイルの３つを含んでいる。
【００９０】
次のステップＳ１３０２は、プリンタ特性情報を取得する処理である。プリンタの特性情報は、プインタのＩＣＣプロファイルのみを含んでおり、オペレータ装置１１０の中のＨＤＤより取得する。このプリンタのＩＣＣプロファイルは、プリンタのＣＭＹＫ出力信号と人間の視覚に近い表現であるＬ＊ａ＊ｂ＊信号の双方向の変換をするための情報が入っている。次のステップＳ１３０３は、テストプリント対象の画像データを取得する処理である。ステップＳ１１０１で取得した画像データをそのまま取得する。
【００９１】
次のステップＳ１３０４は、取得した画像データ（以後「元画像データ」と略す）を、ディスプレイ１０５の特性に合わせてプリンタ装置１１４でシミュレートするための画像データ（以後「シミュレート画像データ」と略す）を生成する処理である。この生成方法の詳細は後述する。
【００９２】
次のステップＳ１３０５は、元画像データに対してコントラスト・明るさを様々に振って修正した画像データ（以後、本実施例では「輝度調整画像データ」と略す）を生成する。本実施例では、画面１２００でコントラスト・明るさをそれぞれ−２から＋２まで振った２５種類の輝度調整画像データを生成する。
【００９３】
最後のステップＳ１３０６は、元画像データ、シミュレート画像データ、輝度調整画像データを１ページにレイアウトしたプリントデータを生成する。レイアウトの一例を図１６に示す。１６０１は１ページ分のレイアウトを表す。１６０２は元画像データの領域、１６０３はシミュレート画像データの領域を表す。１６０４は、元画像データに対して輝度調整を行った輝度調整画像データの領域を示す。縦方向はコントラスト調整値を変えたもの、横方向は明るさ調整値を変えたものを配置している。
【００９４】
＜シミュレート画像を生成する為の処理の説明＞
説明の前に、プリントサイト１０５においてオペレータがアルバムを印刷する際のカラーマッチング処理について図１５（Ａ）を用いて説明する。前提として、プリントサイト１０５では、オペレータがアルバムをプリント装置１１４で印刷するときに、カラーマッチングとしてディスプレイ１１１のＩＣＣプロファイルとプリント装置１１４のＩＣＣプロファイルを用いる。さらに、プリント装置１１１のＩＣＣプロファイルには３種類（知覚方式、彩度方式、色差最小方式）の３種類のテーブルがあるとする。知覚方式は人間の知覚に合わせてカラーマッチングする場合、彩度方式はプリント装置１１１で彩度が高めに印刷されるようにカラーマッチングする場合、色差最小はディスプレイの色をそのまま印刷されるようにカラーマッチングする場合に採用される。
【００９５】
本実施例ではオペレータがアルバムを印刷する場合は知覚方式を用いてカラーマッチングを行うとする。図１５（Ａ）画像データをアルバム印刷用にカラーマッチングしてプリント装置１１４の入力信号であるＣＭＹＫ信号に変換する時の処理の様子を示す。画像データ１５０１をディスプレイのＩＣＣプロファイルでＬ＊ａ＊ｂ＊信号に変換（１５０２）し、Ｌ＊ａ＊ｂ＊信号の画像データ１５０３を得る。そして、プリンタのＩＣＣプロファイルを用いて知覚方式でＣＭＹＫ信号に変換（１５０４）し、ＣＭＹＫ信号の画像データ１５０５を得る。
【００９６】
＜シミュレート画像を生成する為の処理の説明＞
説明の前に、プリントサイト１０５においてオペレータがアルバムを印刷する際のカラーマッチング処理について図１５（Ａ）を用いて説明する。前提として、プリントサイト１０５では、オペレータがアルバムをプリント装置１１４で印刷するときに、カラーマッチングとしてディスプレイ１１１のＩＣＣプロファイルとプリント装置１１４のＩＣＣプロファイルを用いる。さらに、プリント装置１１１のＩＣＣプロファイルには３種類（知覚方式、彩度方式、色差最小方式）の３種類のテーブルがあるとする。知覚方式は人間の知覚に合わせてカラーマッチングする場合、彩度方式はプリント装置１１１で彩度が高めに印刷されるようにカラーマッチングする場合、色差最小はディスプレイの色をそのまま印刷されるようにカラーマッチングする場合に採用される。
【００９７】
本実施例ではオペレータがアルバムを印刷する場合は知覚方式を用いてカラーマッチングを行うとする。図１５（Ａ）は画像データをアルバム印刷用にカラーマッチングしてプリント装置１１４の入力信号であるＣＭＹＫ信号に変換する時の処理の様子を示す。画像データ１５０１をディスプレイのＩＣＣプロファイルでＬ＊ａ＊ｂ＊信号に変換（１５０２）し、Ｌ＊ａ＊ｂ＊信号の画像データ１５０３を得る。そして、プリンタのＩＣＣプロファイルを用いて知覚方式でＣＭＹＫ信号に変換（１５０４）し、ＣＭＹＫ信号の画像データ１５０５を得る。
【００９８】
次に、シミュレート画像データを生成する処理の詳細について、図１４と図１５（Ｂ）を用いて説明する。図１４は、シミュレート画像を生成する為の処理を示すフローチャートである。図１５（Ｂ）は、シミュレート画像を得るための処理の流れを示す図である。
【００９９】
ステップＳ１４０１は、ディスプレイ特性を画像データのＲＧＢ信号に対してかける処理である。本実施例ではディスプレイ１０５の輝度範囲は最小値が０（ディスプレイ１０５とディスプレイ１１１の規格と一致しているとする）、最大値ｙ３（ディスプレイ１０５とディスプレイ１１１の規格と一致していないとする）とする。また、ディスプレイ１０５の輝度ガンマはγとする。画像データ１５０６に対して輝度範囲に関しては式５をかけることでディスプレイ１０５に相当する特性に変換することができる。
【０１００】
【数４】
2013187801.tif 000006
また、輝度ガンマに関しては式６をかけることでディスプレイ１０５に相当する特性に変換することができる。
【０１０１】
【数５】
2013187801.tif 000007
ただし、式５をかけてから式６をかける必要がある（１５０７）。そして得られた画像データ１５０８を得る。
【０１０２】
次のステップＳ１４０２は、ディスプレイのＩＣＣプロファイルを使ってＬ＊ａ＊ｂ＊信号に変換する処理である。１５０９の処理により画像データ１５１０を得る。
【０１０３】
次のステップＳ１４０３はプリンタのＩＣＣプロファイルを使って色差最小方式でＣＭＹＫ信号に変換する処理である。１５１１の処理により画像データ１５１２を得る。この画像データ１５１２は、まさに元画像データをクライアントサイト１０１のディスプレイ１０５上で見た時の色味をプリント装置１１４の出力物で表現したＣＭＹＫ信号である。最終的に得たいシミュレート画像は、図１５（Ａ）のカラーマッチング処理をかけたときに画像データ１５１２が得られるような入力ＲＧＢ画像である。よって、この画像データ１５１２に対して図１５（Ａ）のカラーマッチング処理の逆変換処理を行うことでシミュレート画像を得る。
【０１０４】
ステップＳ１４０４はプリンタのＩＣＣプロファイルを使って、知覚方式でＣＭＹＫ信号をＬ＊ａ＊ｂ＊信号に変換する処理である。１５１３の処理により画像データ１５１４を得る。
【０１０５】
次のステップＳ１４０５はディスプレイのＩＣＣプロファイルを使ってＬ＊ａ＊ｂ信号をＲＧＢ信号に変換する処理である。１５１５の処理により画像データ１５１６を得る。この画像データ１５１６がシミュレート画像データである。
【０１０６】
以上より、本実施形態によれば、アルバムデータ内の画像データに修正が必要な場合、修正前後の画像データだけでなく、クライアントサイトのディスプレイの見た目をシミュレートした画像データもリファレンスとしてテストプリント出力することができる。これにより、オペレータがクライアントサイトのディスプレイ特性を反映した修正パラメータを決めることが可能となる。
【０１０７】
＜第二の実施形態の説明＞
第一の実施形態では図１６のテストプリントのレイアウトにおける輝度調整画像データの領域１６０４に、元画像データに対して色調整を行った画像データを配置した。しかし、プリントサイトによっては元画像データではなくシミュレート画像データに対して色調整を行いたいという要求が存在する。そのため、第二の実施形態の説明では、テストプリントのレイアウトにおける輝度調整画像データの領域に、シミュレート画像データに対して色調整を行った画像データを配置するシステムを説明する。
【０１０８】
システムの全体構成やアルバム印刷を行う工程は第一の実施形態と同じであるが、一部、テストプリント用の画像データを生成する処理のみ第一の実施形態と異なる。図１７に、第二の実施形態におけるテストプリント用のデータを生成する処理のフローを示す。
【０１０９】
ステップＳ１７０１，Ｓ１７０２，Ｓ１７０３，Ｓ１７０４はそれぞれＳ１３０１，Ｓ１３０２，Ｓ１３０３，Ｓ１３０４と同じである。
【０１１０】
ステップＳ１７０５は、シミュレート画像データに対してコントラスト・明るさ調整をした画像データを生成する処理である。本実施例では、画面１２００でコントラスト・明るさをそれぞれ−１から＋１まで振った９種類の輝度調整画像データを生成する。
【０１１１】
最後のステップＳ１７０６は、元画像データ、シミュレート画像データ、輝度調整画像データを１ページにレイアウトしたプリントデータを生成する。
【０１１２】
レイアウトの一例を図１８に示す。１８０１は１ページ分のレイアウトを表す。１８０２は元画像データの領域、１８０３はシミュレート画像データの領域を表す。１８０４は、シミュレート画像データに対して輝度調整を行った輝度調整画像データの領域を示す。縦方向はコントラスト調整値を変えたもの、横方向は明るさ調整値を変えたものを配置している。
【０１１３】
以上より、第二の実施形態によれば、テストプリントのレイアウトにおける輝度調整画像データ領域に、シミュレート画像データに対して修正を行った画像データを配置することが可能となる。これにより、オペレータがクライアントサイト１０１のディスプレイ１０５上での見た目を重視して修正パラメータを決定することが容易となる。
【０１１４】
＜第三の実施形態の説明＞
第二の実施形態では図１６のテストプリントのレイアウトにおける輝度調整画像データの領域１６０４に、元画像データに対して色調整を行った画像データを配置した。しかし、プリントサイトによってはシミュレート画像データは印刷に使わず元画像データに対して色調整を行いたいという要求が存在する。そのため、第三の実施形態の説明では、テストプリントのレイアウトにおける輝度調整画像データ領域に、元画像データに対してシミュレート画像データに最も近くなる設定値で輝度調整した画像データを中心に配置するようなシステムを説明する。
【０１１５】
システムの全体構成やアルバム印刷を行う工程は第一の実施形態と同じであるが、一部、テストプリント用の画像データを生成する処理が第一の実施形態と異なる。
【０１１６】
図１９に、第三の実施形態におけるテストプリント用のデータを生成する処理のフローを示す。ステップＳ１９０１，Ｓ１９０２，Ｓ１９０３，Ｓ１９０４はそれぞれＳ１３０１，Ｓ１３０２，Ｓ１３０３，Ｓ１３０４と同じである。
【０１１７】
ステップＳ１９０５は、輝度調整後の画像データがシミュレーション画像データに特徴量が最も近くなる輝度調整値を算出する処理である。その処理の詳細は後述する。
【０１１８】
ステップＳ１９０６は、元画像データに対してＳ１９０５で求めた調整値を中心に様々な設定値でコントラスト・明るさ調整をした画像データを生成する処理である。本実施例では、画面１２００でコントラスト・明るさをＳ１９０５で求めた調整値を中心にそれぞれ−１から＋１まで振った９種類の輝度調整画像データを生成する。
【０１１９】
最後のステップＳ１９０７は、元画像データ、シミュレート画像データ、輝度調整画像データを１ページにレイアウトしたプリントデータを生成する。レイアウトの一例を図２１に示す。２１０１は１ページ分のレイアウトを表す。２１０２は元画像データの領域、２１０３はシミュレート画像データの領域を表す。２１０４は、元画像データに対して輝度調整を行った輝度調整画像データの領域を示す。縦方向はコントラスト調整値を変えたもの、横方向は明るさ調整値を変えたものを配置している。２１０４の中心に、Ｓ１９０５で求めた調整値で輝度調整を行った画像データを配置している。
【０１２０】
＜輝度調整後の画像データがシミュレート画像データに特徴量が最も近くなる輝度調整値を算出する方法の説明＞
シミュレート画像データに特徴量が最も近づくような、元画像データに対する輝度調整値を算出する方法を、図２０を用いて説明する。図２０は、シミュレート画像に最も近い調整値を算出する処理の一例のフローチャートである。
【０１２１】
ステップＳ２００１は、シミュレート画像データを取得する処理である。
【０１２２】
次のステップＳ２００２は、シミュレート画像データをＬ＊ａ＊ｂ＊信号に変換し、Ｌ＊信号のヒストグラムを取得する処理である。
【０１２３】
次のステップＳ２００３は、ヒストグラムの特徴量ＨＰ，ＭＰ，ＳＰを取得する処理である。ＨＰとは、ヒストグラムの上端からの累積度数が１％に該当するＬ＊信号値を表す。ＳＰは、ヒストグラムの下端からの累積度数が１％に該当するＬ＊信号値を表す。ＭＰは、ヒストグラムの上端からの累積度数が５０％に該当するＬ＊信号値を表す。
【０１２４】
次のＳ２００４は、元画像データに対して様々に色調整した画像データを生成する処理である。色調整は画面１２００のコントラスト調整や明るさ調整と同じ手法・パラメータを用いる。
【０１２５】
次のＳ００５は、Ｓ２００４で生成した輝度調整後の画像データをそれぞれＬ＊ａ＊ｂ＊信号に変換し、Ｌ＊信号のヒストグラムを取得する処理である。次にステップＳ２００５は、輝度調整画像データのヒストグラムの特徴量ＨＰ，ＭＰ，ＳＰを取得する処理である。最後のステップＳ２００７は、シミュレート画像データとの特徴量距離が最小となる輝度調整画像データを検出し、その輝度調整値を取得する処理である。特徴量間の距離ｄは式７で定義する。
【０１２６】
【数６】
2013187801.tif 000008
式７のＨＰ０、ＭＰ０，ＳＰ０はシミュレート画像データの特徴量である。また、ＨＰｉ，ＭＰｉ，ＳＰｉは輝度調整画像データの特徴量である（ｉは輝度調整画像データの番号を表す）。
【０１２７】
以上より、第三の実施形態によれば、テストプリントのレイアウトにおける輝度調整画像データの領域に元画像データに対して色調整を行った画像データを配置し、その中心には、シミュレート画像データに最も近くなる設定で調整した画像データを配置している。これにより、シミュレート画像データは印刷に使わず元画像データに対して色調整を行いたいという要求に応えることが可能となる。
【符号の説明】
【０１２８】
１００    インターネット
１０１    クライアントサイト
１０２    画像入力装置
１０３    ローカル通信媒体
１０４    クライアント装置
１０５    ディスプレイ
１０６    アルバム編集装置
１０７    ディスプレイ特性取得装置
１０８    フォトサイト
１０９    画像データベース（ＤＢ）
１１０    オペレータ装置
１１１    ディスプレイ
１１２    アルバム出力装置
１１３    テストプリント出力装置
１１４    プリント装置
１１５    プリントサイト
【図１】
2013187801.tif 000009
【図２】
2013187801.tif 000010
【図３】
2013187801.tif 000011
【図４】
2013187801.tif 000012
【図５】
2013187801.tif 000013
【図６】
2013187801.tif 000014
【図７】
2013187801.tif 000015
【図８】
2013187801.tif 000016
【図９】
2013187801.tif 000017
【図１０】
2013187801.tif 000018
【図１１】
2013187801.tif 000019
【図１２】
2013187801.tif 000020
【図１３】
2013187801.tif 000021
【図１４】
2013187801.tif 000022
【図１５】
2013187801.tif 000023
【図１６】
2013187801.tif 000024
【図１７】
2013187801.tif 000025
【図１８】
2013187801.tif 000026
【図１９】
2013187801.tif 000027
【図２０】
2013187801.tif 000028
【図２１】
2013187801.tif 000029